(57)【特許請求の範囲】
【請求項１】
撮像して得た画像信号に基づいて保存用の第１の信号形態の信号を得る第１の変換処理手段と、
撮像して得た画像信号に基づいて第１の信号形態とは異なる表示画面の画素配列に対応した表示用の第２の信号形態の信号を得る第２の変換処理手段と、
前記保存モードの時には第１の変換処理手段から前記第１の信号形態の信号を選択し、撮像表示モード時には前記第２の変換処理手段から第２の信号形態の信号を選択して出力する切り替え手段と、
この切り替え手段で選択された信号形態の信号を取り込み、記憶するメモリと、
前記撮像表示モード時には、前記メモリに記憶された第２の信号形態の信号を読み出して前記表示画面を有する表示手段に与える手段と
を具備したことを特徴とするディジタルスチルカメラ用信号処理装置。
【請求項２】
前記第２の変換処理手段は、前記第１の信号形態の信号をマトリクス処理及び間引き処理することによって、前記第２の信号形態の信号を得ることを特徴とする請求項１に記載のディジタルスチルカメラ用信号処理装置。
【請求項３】
前記第１の信号形態の信号は、輝度信号及び２つの色差信号であり、
前記第２の信号形態の信号は、Ｒ，Ｇ，Ｂ信号であることを特徴とする請求項１に記載のディジタルスチルカメラ用信号処理装置。
【請求項４】
前記メモリは、複数の領域を有し、前記第２の信号形態の信号を画面毎に異なる領域に書込むと共に、前記第２の信号形態の信号の読出し速度を書込み速度のｎ（ｎは自然数）倍にすることにより、表示する画像のフレーム周波数をｎ倍にすることを特徴とする請求項１に記載のディジタルスチルカメラ用信号処理装置。
【請求項５】
前記表示画面は、画素配列がＲＧＢ点順次であり、
前記第２の変換処理手段は、前記第２の信号形態の信号として、Ｇ信号のビット数がＲ，Ｂ信号のビット数よりも多いＲ，Ｇ，Ｂ信号を得ることを特徴とする請求項１に記載のディジタルスチルカメラ用信号処理装置。
【発明の詳細な説明】
【０００１】
【発明の属する技術分野】
本発明は、ビューファインダによる表示が可能なディジタルスチルカメラ用信号処理装置に関する。
【０００２】
【従来の技術】
近年、被写体像をＣＣＤ（電荷結合素子）等の光電変換素子によって電気信号に変換し、所定のディジタル信号処理の後、メモリカード等の記録媒体に記録するディジタルスチルカメラが普及している。ディジタルスチルカメラは、被写体観察用の電子ビューファインダを有しており、電子ビューファインダ上には被写体像と共に、感度、シャッタ、色温度フィルタ及びホワイトバランス等の撮影条件も表示することができるようになっている。
【０００３】
図９はこのようなディジタルスチルカメラを示すブロック図である。
【０００４】
撮影時においては、光学系１を通過した被写体像は、撮像素子であるＣＣＤ２によって電気信号に変換される。ＣＣＤ２からの電気信号は画像信号としてカメラ信号処理回路３に供給する。カメラ信号処理回路３は、ＣＣＤ２からの画像信号にガンマ補正処理、色分離処理及びホワイトバランス処理等の処理を行って、輝度信号及び色信号を得る。カメラ信号処理回路３からの輝度信号及び色信号はメモリ４に出力する。
【０００５】
表示用信号処理回路７は、メモリ４に格納された画像信号をビューファインダに供給するために、メモリ４の画像信号を読出す。この場合には、表示用信号処理回路７は、メモリ４から倍速で読出して画像信号のフレーム周波数を２倍に変更する。更に、表示用信号処理回路７は、読出した輝度信号及び色信号をビューファインダを構成する液晶表示装置８に対応した信号形態、即ち、Ｒ，Ｇ，Ｂ信号に変換して、液晶表示装置８に出力する。
【０００６】
【課題を解決するための手段】
本発明に係るディジタルスチルカメラ用信号処理装置は、  撮像して得た画像信号に基づいて保存用の第１の信号形態の信号を得る第１の変換処理手段と、撮像して得た画像信号に基づいて第１の信号形態とは異なる表示画面の画素配列に対応した表示用の第２の信号形態の信号を得る第２の変換処理手段と、前記保存モードの時には第１の変換処理手段から前記第１の信号形態の信号を選択し、撮像表示モード時には前記第２の変換処理手段から第２の信号形態の信号を選択して出力する切り替え手段と、この切り替え手段で選択された信号形態の信号を取り込み、記憶するメモリと、前記撮像表示モード時には、前記メモリに記憶された第２の信号形態の信号を読み出して前記表示画面を有する表示手段に与える手段とを具備したことを特徴とするものである。
【０００７】
次に、ユーザーが図示しないシャッターボタンを押してレリーズ操作を行うものとする。このレリーズ操作に基づくトリガによって、メモリ４に取り込まれた画像信号は記録のために圧縮／伸張回路５に供給される。圧縮／伸張回路５は入力された画像信号を圧縮し、圧縮データを不揮発性メモリ６に書込んで保存する。
【０００８】
次に、圧縮して保存した画像データを再生表示するものとする。この場合には、圧縮／伸張回路５は不揮発性メモリ６に保存されている圧縮データを読出して伸張し、輝度信号及び色信号を得る。圧縮／伸張回路５は伸張して得た輝度信号及び色信号をメモリ４に与えて記憶させる。
【０００９】
表示用信号処理回路７は、メモリ４に記憶された画像信号を倍速で読出してフレーム周波数を２倍にした後、Ｒ，Ｇ，Ｂ信号に変換して液晶表示装置８に与える。液晶表示装置８は入力されたＲ，Ｇ，Ｂ信号に基づく画像を表示画面上に映出する。こうして、不揮発性メモリ６に保存した画像信号の再生が可能である。
【００１０】
このように、ビューファインダによる観察時と撮像した画像の記録再生時とにおいて、共通のメモリ４を用いている。ところで、圧縮／伸張回路５としては、静止画の圧縮規格として国際標準となっいるＪＰＥＧ（Joint Photographic Expert Group）規格が採用されることが多い。このＪＰＥＧにおいては、ＹＵＶ形式の信号を扱うことが多く、この理由から、メモリ４においてもＹＵＶ形式の信号を記憶するようになっている。
【００１１】
近年、ディジタルスチルカメラはパーソナルコンピュータ（以下、パソコンという）への画像データの取り込み用としても用いられており、普及型のディジタルスチルカメラにおいては、パソコンのグラフィックス表示方式であるＶＧＡ（Video Graphics Array）規格に対応した解像度（６４０×４８０画素）の信号を処理するようになっている。
【００１２】
いま、ＶＧＡフォーマットでＹ：Ｕ：Ｖ＝４：１：１の信号をメモリ４に記憶させるものとする。メモリ４に書込む画素数は、下記式（１）に示すことができる。
【００１３】
６４０×４８０＋（１６０×４８０）×２＝４６０８００      …（１）
一方、液晶表示装置８は、ＲＧＢ点順次形式の信号を入力とすることが多い。また、液晶表示装置８は小型であるので、通常、画素数がＶＧＡフォーマットよりも少ないＱＶＧＡフォーマット（解像度３２０×２４０画素）を採用することが多い。このような液晶表示装置８の表示に必要な画素数は
３２０×２４０＝７６８００                …（２）
である。
【００１４】
表示用信号処理回路７は、メモリ４から読出したＹＵＶ形式の信号をＲ，Ｇ，Ｂ信号に変換して液晶表示装置８に供給する必要がある。この変換には、Ｙ，Ｕ，Ｖ信号を用いたマトリクス処理を行う。即ち、表示用信号処理回路７は、Ｒ，Ｇ，Ｂ各信号の変換毎にＹ，Ｕ，Ｖ信号を読出す必要がある。つまり、表示画面に表示する１画素分の画像信号を得るために、メモリ４に格納されたＹ，Ｕ，Ｖ信号を３回ずつ読出す必要がある。このように、表示に際してメモリアクセス回数が多いことから消費電力が大きいという問題があった。特に、バッテリ又は乾電池等で駆動されるディジタルスチルカメラにとって、消費電力の増大は大きな問題である。
【００１５】
また、上述したように、液晶表示装置８における表示のフリッカを低減するために、メモリ４からの読み出しは書込み時の倍速で行ってフレーム周波数を２倍にしている。しかしながら、メモリ４の容量が１画面分であるものとすると、メモリ４に指定する読出しアドレスが書込みアドレスを追い越してしまい、ビューファインダの画面上では動画像の動きがスムーズでなくなって、表示品位が劣化してしまうという問題もある。
【００１６】
【発明が解決しようとする課題】
このように、従来、ビューファインダとして用いる液晶表示装置に画像を表示させるために信号形態の変換を行う必要があり、メモリアクセス回数が多く消費電力が大きいという問題点があった。また、１画面分のみのメモリ領域を用いて倍速変換すると、動画の表示品位が劣化してしまうという問題点もあった。
【００１７】
本発明は、ビューファインダへの表示時にメモリへのアクセス回数を低減して消費電力を少なくすることができるディジタルスチルカメラ用信号処理装置を提供することを目的とする。
【００１８】
また、本発明は、１画面分のメモリを用いた場合でも倍速変換してビューファインダに表示するときの動画の表示品位を向上させることができるディジタルスチルカメラ用信号処理装置を提供することを目的とする。
【００１９】
【課題を解決するための手段】
本発明に係るディジタルスチルカメラ用信号処理装置は、撮像して得た画像信号に基づいて保存用の第１の信号形態の信号を得ると共に、撮像して得た画像信号の保存モード時には前記第１の信号形態の信号をメモリに記憶させる第１の変換処理手段と、撮像して得た画像信号に基づいて第１の信号形態とは異なり表示画面の画素配列に対応した表示用の第２の信号形態の信号を得ると共に、撮像して得た画像信号の撮像表示モード時には前記第２の信号形態の信号を前記メモリに記憶させる第２の変換処理手段と、前記撮像表示モード時には、前記メモリに記憶された第２の信号形態の信号を読み出して前記表示画面を有する表示手段に与える手段とを具備したことを特徴とするものである。
【００２０】
本発明において、撮像して得た画像信号を保存する場合には、第１の変換処理手段によって保存用の第１の信号形態の信号を得、メモリはこの第１の信号形態の信号を記憶する。一方、撮像して得た画像信号を表示する場合には、、第２の変換処理手段によって表示用の第２の信号形態の信号を得、メモリはこの第２の信号形態の信号を記憶する。第２の信号形態の信号は表示画面の画素配列に対応しており、表示時においてメモリから読出した信号に対する信号形態の変換処理は不要であり、メモリから読出した第２の信号形態の信号をそのまま用いて表示を行う。
【００２１】
【発明の実施の形態】
以下、図面を参照して本発明の実施の形態について詳細に説明する。図１は本発明に係るディジタルスチルカメラ用信号処理装置の一実施の形態を示すブロック図である。
【００２２】
レンズ等の光学系１は被写体像を撮像素子であるＣＣＤ２の撮像面に結像するようになっている。ＣＣＤ２は撮像面に結像した光学像を電気信号に変換して、画像信号としてカメラ信号処理回路３に出力するようになっている。
【００２３】
撮像系としては、例えば、単板式で、画素配列がベイヤー配列のものを採用する。ベイヤー配列は、緑を市松格子状に配置し、赤と青とは夫々線順次に配置するようになっている。つまり、緑は各ラインに存在するが、赤は奇数ラインにのみ存在し、青は偶数ラインにのみ存在する。
【００２４】
カメラ信号処理回路３は、ＣＣＤ２からの画像信号にガンマ補正処理、色分離処理及びホワイトバランス処理等の処理を施して、ＹＵＶ形式の輝度信号及び色信号を得る。カメラ信号処理回路３からの輝度信号Ｙ及び色信号Ｕ，Ｖは変換及び間引き処理回路11に供給すると共に、スイッチ12を介してメモリ13に供給するようになっている。なお、カメラ信号処理回路３における色分離処理においては、前後のラインのデータの補間によって各ラインにＲ，Ｇ，Ｂ信号が存在するようにする。更に、水平方向にも補間を行って、全画素に対して対応するＲ，Ｇ，Ｂ信号が存在するようにする。カメラ信号処理回路３は、補間されたＲＧＢ信号をマトリクス処理することによって、ＹＵＶ信号を得るようになっている。
【００２５】
変換及び間引き処理回路11の出力はスイッチ12を介してメモリ13に与えるようになっている。スイッチ12は撮像している画像のビューファインダによる表示モード（以下、撮像表示モードという）時と撮像した画像の保存モード時とで切換り、撮像表示モード時には変換及び間引き処理回路11の出力をメモリ13に与え、保存モード時にはカメラ信号処理回路３の出力をメモリ13に与えるようになっている。なお、スイッチ12は、保存した画像の再生表示モード時には、メモリ13に記憶された画像信号を変換及び間引き処理回路11に供給するようになっている。
【００２６】
変換及び間引き処理回路11は、入力されたＹＵＶ形式の信号をＲＧＢ点順次信号に変換すると共に、液晶表示装置８の表示画面の解像度に応じて間引き処理を行うようになっている。変換及び間引き処理回路11は、変換及び間引き処理したＲ，Ｇ，Ｂ信号をスイッチ12又はスイッチ19に出力するようになっている。
【００２７】
いま、ＣＣＤ２の解像度はＶＧＡフォーマットに対応しているものとし、液晶表示装置８の解像度がＱＶＧＡフォーマットに対応した３２０×２４０画素であるものとする。
【００２８】
変換及び間引き処理回路11は、６４０×４８０画素のＹ，Ｕ，Ｖ信号を３２０×２４０画素のＲ，Ｇ，Ｂ信号に変換するために間引き処理を行う。即ち、変換及び間引き処理回路11は、先ず、入力されたＹ，Ｕ，Ｖ信号を水平方向には１画素おきに用いて、マトリクス処理することによって、水平方向に間引かれたＲ，Ｇ，Ｂ信号を得る。更に、変換及び間引き処理回路11は、奇数ラインのデータのみを出力し、偶数ラインのデータは出力しない。これにより、変換及び間引き処理回路11は、垂直方向の間引きを行って、ＱＶＧＡフォーマットのＲ，Ｇ，Ｂ信号を出力するようになっている。
【００２９】
液晶表示装置８の表示画面が、ＲＧＢ点順次配列で構成され、ＱＶＧＡフォーマットに対応するものとすると、１ラインはＲ，Ｇ，Ｂ合計３２０画素で構成される。また、メモリ13はローアドレス及びカラムアドレスがいずれも５１２であり、１アドレスが１６ビットの容量を有するものとする。Ｒ，Ｇ，Ｂ信号は８ビットで表現されるものとすると、１アドレスにＲ，Ｇ，Ｂ信号のうちの２つの信号を格納することができる。従って、この場合には、変換及び間引き処理回路11からの１画面分のＲ，Ｇ，Ｂ信号はメモリ13の１６０×２４０アドレス分の領域に格納可能である。
【００３０】
図１のメモリ13のブロックに示す領域15，16は撮像表示モード用のＲ，Ｇ，Ｂ信号を格納する領域を示している。ＱＶＧＡフォーマットに対応させて間引き処理を行っていることから、ＶＧＡフォーマットの１画面分の画像信号を記憶する容量のメモリ13に、撮像表示モード用の２画面分の画像信号を記憶する領域を確保することができる。
【００３１】
更に、ビューファインダにおける画像の多少の劣化を許容して、Ｒ，Ｇ，Ｂ信号を夫々５ビット，６ビット，５ビットで表現することもある。この場合でも、Ｇ信号に割り当てるビット数が比較的多いので十分な画質を保持することができる。この場合には、メモリ13の１アドレスで１画素分のＲ，Ｇ，Ｂ信号を格納することができる。従って、この場合には、表示用の１画面分のＲ，Ｇ，Ｂ信号の書込みに必要なアドレス数は、
３ ２ ０／３×２４０＝１０７×２４０＝２５６８０      …（３）
である。
【００３２】
メモリ13は、図示しないメモリコントローラに制御されて、撮像表示モード時において、変換及び間引き処理回路11からの画像信号を１画面毎に異なる領域に記憶するようになっている。
【００３３】
ところで、ＶＧＡフォーマットの画像をＮＴＳＣ方式に対応した表示装置によって表示するものとすると、クロック周波数としては例えば７８０ｆH （ｆH は水平走査周波数）（＝１２．２７ＭＨｚ）が採用される。この場合には、６４０クロック分が有効絵柄期間であり、１４０クロック分が水平ブランキング期間である。従って、１クロックでメモリの１アドレスに書込みを行うことによって、ＶＧＡフォーマットの１ライン分の画像信号を１有効絵柄期間に書込むことができる。
【００３４】
式（３）の場合には、１ラインのＲ，Ｇ，Ｂ信号はメモリ13の１０７アドレス分であるので、変換及び間引き処理回路11からのＱＶＧＡフォーマットの画像信号１ライン分は、水平ブランキング期間中に書込むことができる。
【００３５】
本実施の形態においては、書込み時に水平及び垂直方向に１／２に間引いてＱＶＧＡフォーマットのＲ，Ｇ，Ｂ信号をメモリ13に書込んでいる。従って、読出し時に書込み時と同一周波数のクロックを用いて読出すことにより、画像信号のフレーム周波数を２倍にすることができる。
【００３６】
撮像表示モード時には、メモリ13から読出したＲ，Ｇ，Ｂ信号はスイッチ19を介して液晶表示装置８に供給するようになっている。この場合には、有効絵柄部分に相当する６４０クロック期間で１０７アドレス分の１ラインのＲ，Ｇ，Ｂ信号を読出すと共に、各領域15，16に記憶されたＲ，Ｇ，Ｂ信号を１画面期間に２回読出すようになっている。
【００３７】
なお、上述したように、メモリ13に２つの領域15，16を設け、１画面毎に異なる領域に書込みを行って、書込みと異なる領域から読出しを行うようにしていることから、従来例のようにアドレスの追い越しが発生することはない。
【００３８】
スイッチ19は撮像表示モード時、保存モード時又は再生表示モード時で切換り、撮像表示モード時にはメモリ13の出力を選択し、保存モード時にはブルーバック挿入回路14の出力を選択し、再生表示モード時には変換及び間引き処理回路11の出力を選択して、液晶表示装置８に供給するようになっている。
【００３９】
液晶表示装置８はＱＶＧＡフォーマットでＲＧＢ点順次の表示画面を有しており、メモリ13からのＲ，Ｇ，Ｂ信号に基づく画像を映出するようになっている。ユーザーは、液晶表示装置８の表示画面上の表示を見ながら、画角の決定及びピント合わせ等を行うことができる。
【００４０】
一方、スイッチ12は撮像した画像の保存モード時にはカメラ信号処理回路３からの出力をメモリ13に与える。図２はスイッチ12がカメラ信号処理回路３の出力を選択した場合におけるメモリ13の内容を説明するためのものである。この場合には、メモリ13にはカメラ信号処理回路３から６４０×４８０画素のＹ，Ｕ，Ｖ信号が入力される。
【００４１】
カメラ信号処理回路３からのＹ，Ｕ，Ｖ信号の１画面当たりの画素数は、Ｙ：Ｕ：Ｖ＝４：１：１の場合には、
６４０×４８０＋(１６０×４８０)×２＝４６０８００
となる。
【００４２】
Ｙ，Ｕ，Ｖ信号を各８ビットとし、１アドレスを１６ビットとすると、１画面分のＹ信号の書込に必要なアドレス数は６４０／２×４８０＝３２０×４８０である。また、１画面分のＵ，Ｖ信号に必要なアドレス数は夫々１６０／２×４８０＝８０×４８０である。
【００４３】
１ライン分のＹ，Ｕ，Ｖ信号の書込みに必要なアドレス数は３２０＋８０＋８０＝４８０であり、有効絵柄部の６４０クロック期間でメモリ13に書込むことができる。
【００４４】
圧縮／伸張回路５はメモリ13に記憶されているＹ，Ｕ，Ｖ信号を読出して圧縮して不揮発性メモリ６に与えて記憶させると共に、不揮発性メモリ６から読出した圧縮信号を伸張してメモリ13に与えて記憶させるようになっている。圧縮／伸張回路５は、例えば、ＪＰＥＧ規格の圧縮を行うものであり、Ｙ，Ｕ，Ｖ信号を８×８画素のブロック単位で圧縮処理するようになっている。不揮発性メモリ６は、圧縮／伸張回路５からの圧縮信号を記憶するようになっている。
【００４５】
撮像した画像の保存モード時には、メモリ13にはＹ，Ｕ，Ｖ信号が記憶されているので、液晶表示装置８にＱＶＧＡフォーマットのＲ，Ｇ，Ｂ信号を供給する時間的な余裕がない。このため、保存モード時においては、ブルーバック挿入回路14の出力を液晶表示装置８に供給するようになっている。ブルーバック挿入回路14は、保存モード時において、液晶表示装置８の表示画面にブルーを表示させるための所定レベルの画像信号をスイッチ19を介して液晶表示装置８に供給するようになっている。
【００４６】
次に、このように構成された実施の形態の動作について図３乃至図８を参照して説明する。図３は１画面を構成するデータを説明するための説明図であり、図３（ａ）はＣＣＤ２の出力を示し、図３（ｂ）はカメラ信号処理回路３の出力を示し、図３（ｃ）は変換及び間引き処理回路11の出力を示している。また、図４は撮像表示モード時におけるライン毎のメモリアクセスを示す説明図であり、図５は撮像表示モード時におけるメモリアドレスの指定を説明するための説明図である。図６は保存モード時におけるメモリアクセスを示す説明図である。また、図７は再生表示モード時において１画面を構成するデータを示す説明図であり、図８は再生表示モード時におけるライン毎のメモリアクセスを示す説明図である。
【００４７】
ＣＣＤ２の出力がＶＧＡフォーマットに対応し、液晶表示装置８の表示画面がＱＶＧＡフォーマットに対応するものとして説明する。
【００４８】
レンズ１を介して取り込まれた光学像を、ＣＣＤ２によって光電変換する。ＣＣＤ２からの画像信号はカメラ信号処理回路３に供給する。図３（ａ）に示すように、ＣＣＤ２からの画像信号は奇数ラインにＲ，Ｇ信号が交互に配列され、偶数ラインにＧ，Ｂ信号が交互に配列されて、Ｇ信号は市松格子状の配列で構成されている。
【００４９】
カメラ信号処理回路３は入力されたＲ，Ｇ，Ｂ信号にガンマ補正処理、色分離処理及びホワイトバランス処理等の処理を施して、輝度信号Ｙ及び色信号Ｕ，Ｖを得る。なお、カメラ信号処理回路３は、上下のラインのデータを用いた補間によって各ラインにＲ，Ｇ，Ｂ信号が存在するように色分離処理を行うと共に、水平方向にも補間を行って、全画素に対して対応するＲ，Ｇ，Ｂ信号が存在するようにする。
【００５０】
カメラ信号処理回路３は、補間後のＲ，Ｇ，Ｂ信号をマトリクス処理して、Ｙ，Ｕ，Ｖ信号に変換する。Ｙ：Ｕ：Ｖ＝４：１：１であるものとすると、Ｕ，Ｖ信号の画素数は夫々Ｙ信号の１／４の１６０×４８０画素である。即ち、カメラ信号処理回路３からは、図３（ｂ）に示すように、６４０×４８０画素のＹ信号と１６０×４８０画素のＵ信号及びＶ信号が出力される。１画面当たりの画素数は６４０×４８０＋（１６０×４８０）×２＝４６０８００である。
【００５１】
カメラ信号処理回路３からのＹ，Ｕ，Ｖ信号は変換及び間引き処理回路11に与える。変換及び間引き処理回路11は、マトリクス処理によってＹ，Ｕ，Ｖ信号をＲ，Ｇ，Ｂ信号に変換すると共に、水平及び垂直方向に信号を間引いてＱＶＧＡフォーマットの画像信号を得る。
【００５２】
いま、撮像表示モードであるものとする。この場合には、スイッチ12は変換及び間引き処理回路11からのＲ，Ｇ，Ｂ信号をメモリ13に出力する。メモリ13の１アドレスが１６ビットで、各Ｒ，Ｇ，Ｂ信号が夫々５ビット，６ビット，５ビットで表されるものとすると、ＱＶＧＡフォーマットの１画面分の画像信号は
３ ２ ０／３×２４０＝１０７×２４０＝２５６８０アドレスに書込み可能である。
【００５３】
システムクロックの周波数を７８０ｆH とすると、有効絵柄期間（有効絵柄部）は６４０クロック分となり、水平ブランキング期間は１４０クロック分となり、１ライン分のＲ，Ｇ，Ｂ信号を水平ブランキング期間に書込み可能である。変換及び間引き処理回路11は、偶数ラインの信号を書込まないことによって垂直方向の間引きを行っており、図４（ａ），（ｂ）に示すように、奇数ラインのブランキング期間において、メモリ13にＱＶＧＡフォーマットのＲ，Ｇ，Ｂ信号を書込む。この場合には、図１に示すように、１画面毎に２つの領域15，16に交互に書込を行う。
【００５４】
液晶表示装置８は、メモリ13に記憶されたＱＶＧＡフォーマットのＲ，Ｇ，Ｂ信号を読出す。この場合には、メモリ13への書込み時において、間引き処理によって水平画素数が元の画素数の１／２となっているので、書込み時と同一クロック周波数で読出すことにより、フレーム周波数を２倍にすることができる。即ち、液晶表示装置８は、図４（ａ），（ｂ）に示すように、有効絵柄部の６４０クロック期間で１０７アドレス分の１ラインのＲ，Ｇ，Ｂ信号を読出す。
【００５５】
図５は撮像表示モード時におけるメモリ13に対するアクセスを示しており、図５（ａ）は書込みアドレスを示し、図５（ｂ）は読出しアドレスを示している。図５の縦軸はアドレスを示し、横軸は時間である。図５（ａ），（ｂ）に示すように、領域15，16の一方に書込を行っているときには他方から読出しを行う。例えば、領域15に書込まれたＲ，Ｇ，Ｂ信号は、次の画面の領域16に対する書込み時に、倍速で読出す。従って、読出しアドレスが書込みアドレスに先行することはない。
【００５６】
撮像表示モード時にはスイッチ19はメモリ13の出力を選択する。これにより、液晶表示装置８には図３（ｃ）に示す画像信号が入力されて液晶表示が行われる。撮像表示モード時には、メモリ13に液晶表示装置８の表示画面の画素配列と同一形態で且つ間引き処理されたＲ，Ｇ，Ｂ信号を記憶させているので、表示に際してマトリクス処理及び間引き処理を施すことなく、メモリ13の出力をそのまま用いることができる。このため、メモリアクセス回数を低減して消費電力を低下させることができる。
【００５７】
また、フレーム周波数が倍になっているので、液晶表示装置８におけるフリッカは低減される。更に、読出しアドレスが書込みアドレスに先行することはないので、全画面を順次表示することができ、動画をスムーズに映出することができる。
【００５８】
次に、撮像した画像の保存モードが指定されるものとする。この場合には、スイッチ12はカメラ信号処理回路３からのＹ，Ｕ，Ｖ信号をメモリ13に与える。
【００５９】
図２のメモリ13はこの場合の記憶内容を示している。メモリ13の１アドレスを１６ビットで構成し、Ｙ，Ｕ，Ｖ各信号を８ビットで表すものとすると、１画面のＹ信号の書込みには６４０／２×４８０＝３２０×４８０アドレス必要であり、Ｕ，Ｖ信号の書込みには夫々１６０／２×４８０＝８０×４８０アドレス必要である。従って、カメラ信号処理回路３は１ライン当たり３２０＋８０＋８０＝４８０アドレス分を書込めばよく、図６（ａ），（ｂ）に示すように、有効絵柄部の６４０クロック期間にＹ，Ｕ，Ｖ信号の書込みを行う。
【００６０】
圧縮／伸張回路５は、メモリ13に保存されているＹ，Ｕ，Ｖ信号を読出して、８×８画素のブロック単位でＪＰＥＧエンコードする。圧縮／伸張回路５からのエンコード出力は不揮発性メモリ６に供給して記憶させる。
【００６１】
一方、保存モード時においては、スイッチ19はブルーバック挿入回路14の出力を選択して液晶表示装置８に与える。ブルーバック挿入回路14は、図３（ｃ）に示すＲ，Ｇ，Ｂ信号のレベルが一定の出力を液晶表示装置８に与える。こうして、液晶表示装置８は保存モード時にはブルーバックを表示する。
【００６２】
次に、不揮発性メモリ６に保存した画像の再生表示モードが指定されるものとする。この場合には、スイッチ12はメモリ13の出力を変換及び間引き処理回路11に供給する。不揮発性メモリ６から読出した画像信号は圧縮／伸張回路５によって伸張してメモリ13に供給する。メモリ13は圧縮／伸張回路５からのＹ，Ｕ，Ｖ信号を記憶する。この場合には、メモリ13には図２に示す書込みが行われる。
【００６３】
再生表示モード時にはスイッチ12はメモリ13からの画像信号を変換及び間引き処理回路11に与える。変換及び間引き処理回路11は、メモリ13に記憶されたＹ，Ｕ，Ｖ信号を倍速に読出してフレーム周波数を２倍にすると共に、液晶表示装置８の表示フォーマットに応じて間引きを行う。即ち、変換及び間引き処理回路11は、水平方向にはメモリ13に記憶されたＹ，Ｕ，Ｖ信号を１アドレスおきに読出す。１ライン当たり、Ｙ信号は１６０アドレス分の読出しが行われ、Ｕ，Ｖ信号は８０アドレス分の読出しが行われる。つまり、変換及び間引き処理回路11は、１ライン当たり２４０アドレス分の読出しを行えばよく、図８（ａ），（ｂ）に示すように、この読出しを有効絵柄部の６４０クロック期間に行う。
【００６４】
また、変換及び間引き処理回路11は、垂直方向には、メモリ13から１ラインおきの画像データを読出す。こうして、変換及び間引き処理回路11は、１画面の構成が図７（ｂ）に示されるＹ，Ｕ，Ｖ信号を得る。変換及び間引き処理回路11は、間引いたＹ，Ｕ，Ｖ信号をマトリクス処理してＱＶＧＡフォーマットのＲ，Ｇ，Ｂ信号を得る。この場合にはスイッチ19は変換及び間引き処理回路11の出力を選択しており、ＱＶＧＡフォーマットのＲ，Ｇ，Ｂ信号は液晶表示装置８に供給される。液晶表示装置８は入力された静止画像を表示する。
【００６５】
このように本実施の形態においては、撮像表示モード時においては、カメラ信号処理回路３からのＶＧＡフォーマットの画像信号を変換及び間引き処理回路11によって間引いてＱＶＧＡフォーマットの画像信号に変換した後にメモリ13に書込んでおり、液晶表示装置８への読出し時には間引き処理及びマトリクス変換処理は不要である。
【００６６】
即ち、ＶＧＡフォーマットでＹ：Ｕ：Ｖ＝４：１：１の画像信号をＹＵＶ形式でメモリ13に書込む場合の画素数は、上記（１）式に示すように、４６０８００画素である。この画像信号を１アドレスが１６ビット構成の４ＭビットＤＲＡＭに書込むものとすると、１画面当たりの書込みに２３０４００アドレスが必要である。
【００６７】
これに対し、本実施の形態においては、撮像表示モード時においてメモリ13に書込む画素数は、上記（２）式に示すように、７６８００画素であり、１画面当たりの書込みに必要なアドレス数は２５６８０である。しかも、メモリ13には液晶表示装置８に対応したフォーマットの画像信号を記憶させているので、メモリ13からの読出し時にフォーマット変換のために同一の画像信号を複数回読出す必要はない。これにより、撮像表示モード時において必要なメモリ容量、アクセス回数及び消費電力を著しく削減することができる。
【００６８】
なお、本実施の形態はＣＣＤがＶＧＡフォーマットに対応し、液晶表示装置がＱＶＧＡフォーマットに対応しているものとして説明したが、いずれも他の規格に対応するものであってもよいことは明らかであり、例えば、ＣＣＤとしてＳＶＧＡ，ＳＸＧＡフォーマットを採用し、液晶表示装置としてＶＧＡフォーマットを採用してもよい。
【００６９】
また、本実施の形態においては、メモリ容量に空きが生じることを利用して、１画面毎に書込む領域を切換えており、メモリから倍速で読出す場合でも、メモリの読出しアドレスが書込みアドレスを追い越すことを防止することができる。これにより、動画をスムーズに表示させることが可能である。
【００７０】
【発明の効果】
以上説明したように本発明によれば、ビューファインダへの表示時にメモリへのアクセス回数を低減して消費電力を少なくすることができると共に、１画面分のメモリを用いた場合でも倍速変換してビューファインダに表示するときの動画の表示品位を向上させることができるという効果を有する。
【図面の簡単な説明】
【図１】本発明に係るディジタルスチルカメラ用信号処理装置の一実施の形態を示すブロック図。
【図２】実施の形態を説明するためのブロック図。
【図３】実施の形態の動作を説明するための説明図。
【図４】実施の形態の動作を説明するための説明図。
【図５】実施の形態の動作を説明するための説明図。
【図６】実施の形態の動作を説明するための説明図。
【図７】実施の形態の動作を説明するための説明図。
【図８】実施の形態の動作を説明するための説明図。
【図９】ディジタルスチルカメラを示すブロック図である。
【符号の説明】
２…ＣＣＤ、３…カメラ信号処理回路、６…不揮発性メモリ、８…液晶表示装置、11…変換及び間引き処理回路、12，19…スイッチ、13…メモリ、14…ブルーバック挿入回路
【図１】
0004279910.tif 000002
【図２】
0004279910.tif 000003
【図３】
0004279910.tif 000004
【図４】
0004279910.tif 000005
【図５】
0004279910.tif 000006
【図６】
0004279910.tif 000007
【図７】
0004279910.tif 000008
【図８】
0004279910.tif 000009
【図９】
0004279910.tif 000010